(57)【要約】【課題】換気効率の向上を図り、換気時の騒音を低減する。【解決手段】ファン１１と、このファン１１が回転される換気穴１３を有するケース１２と、換気穴１３を覆って設けられた保護板１４とを備える。保護板１４は、通風するための複数の通風口１６と、各通風口１６を仕切る仕切枠１７とを有する。そして、保護板１４は、通風口１６の内周縁が断面円弧状に形成される。【選択図】  図２
2004266032.tif 000002
【特許請求の範囲】
【請求項１】
ファンと、前記ファンが回転される換気穴を有するケースと、前記換気穴を覆って設けられた保護板とを備える換気装置であって、
前記保護板は、通風するための複数の通風口と、前記各通風口を仕切る仕切枠とを有し、前記通風口の内周縁が断面円弧状に形成されていることを特徴とする換気装置。
【請求項２】
前記仕切枠は、断面が楕円状に形成されている請求項１に記載の換気装置。
【請求項３】
前記仕切枠は、断面が円形状に形成されている請求項１に記載の換気装置。
【請求項４】
請求項１ないし３のいずれか１項に記載の換気装置が外周部に設けられ、内部に、電子機器の構成部材が収納される電子機器用筐体。
【請求項５】
請求項１ないし３のいずれか１項に記載の換気装置が外周部に設けられた筐体を備える電子機器。
【請求項６】
ファンと、前記ファンが回転される換気穴を有するケースと、前記換気穴を覆って設けられた保護板とを備える換気装置の製造方法であって、
前記保護板を打ち抜き加工することによって、通風するための複数の通風口と、前記各通風口を仕切る仕切枠とを形成する第１の工程と、
前記保護板をプレス加工することによって、前記保護板の前記通風口の内周縁を断面円弧状に形成する第２の工程とを有する換気装置の製造方法。
【請求項７】
前記第２の工程は、前記仕切枠の断面を楕円状に形成する請求項６に記載の換気装置の製造方法。
【請求項８】
前記第２の工程は、前記仕切枠の断面を円形状に形成する請求項６に記載の換気装置の製造方法。
【発明の詳細な説明】
【０００１】
【発明の属する技術分野】
本発明は、例えば、コンピュータ本体内の空気を外部に排気するための換気装置、およびこの換気装置を備える電子機器用筐体、電子機器、換気装置の製造方法に関する。
【０００２】
【従来の技術】
従来、例えばパーソナルコンピュータは、筐体の内部に配置された各種電子部品から発生した熱を外部に排出するために、内部を換気するための換気装置を備えている。
【０００３】
この種の従来の換気装置は、筐体の背面部に、外方に臨まされて設けられており、ファンと、このファンが回転される換気穴を有するケースと、ファンを回転駆動する駆動モータとを備えている。そして、このような従来の換気装置は、ケースの換気穴内で回転するファンに、指先や筐体内の配線等が巻き込まれることを防止するためや、ＥＭＩ（電磁干渉）対策を施すために、換気穴を覆う保護板が設けられている。
【０００４】
従来の保護板としては、金属板によって形成されており、通風するための複数の通風口がそれぞれ設けられている。一般に、保護板は、金属板を打ち抜き加工することによってスリット状の通風口が形成されており、通風口と、通風口を仕切る仕切枠とを有している（例えば、特許文献１参照。）。
【０００５】
以上のように構成された従来の換気装置は、ファンを回転駆動することによって、筐体内の空気が外部に排気され、筐体内が冷却される。
【０００６】
【特許文献１】
特開２０００−２２３８７４号公報（第１欄４０行目〜４８行目、図２）
【０００７】
【発明が解決しようとする課題】
ところで、上述した従来の換気装置が備える保護板は、金属板を打ち抜き加工することによって、複数の通風口が形成されている。このため、保護板の各通風口には、筐体内に臨む内面側および筐体外に臨む外面側の各内周縁に、ほぼ垂直をなす角がそれぞれ形成されてしまう。
【０００８】
図５に示すように、従来の換気装置は、換気を行った際、図５中の流線Ｆ３で示す筐体内から筐体外に向かう空気の主の流れが、保護板１１４の通風口１１６の中央近傍を通過して排気されている。しかしながら、従来の保護板１１４では、図５中の流線Ｆ４で示すように、保護板１１４の内面に衝突した空気の流れが、通風口１１６の内面側の内周縁に沿って移動するため、空気の主の流れを妨げてしまう。また、従来の保護板１１４では、図５中の流線Ｆ５で示すように、空気の主の流れの一部が、保護板１１４の外面側の内周縁で、外面側に回り込んでしまうため、空気が良好に排気されないという不都合がある。したがって、従来の保護板１１４は、通風口１１６の内周縁による流動抵抗が比較的大きく、空気の流れが乱されるため、換気効率が乏しく、筐体内の冷却性能が低いという問題がある。
【０００９】
また、従来の保護板１１４は、上述したように、通風口１１６の内周縁による流動抵抗が比較的大きいことで、通風口１１６で風切り音が発生するため、騒音を低減することが求められている。
【００１０】
このような問題点の対策として、金属線材からなる保護部材を用いることも考えられる。図６に示すように、保護部材１２０は、通風口１２１を構成するように同心円状に配設された円形状をなす複数の仕切枠１２２と、各仕切枠１２１を連結する連結枠１２３とを有している。仕切枠１２２および連結枠１２３は、断面円形状をなす金属線材によって形成されている。すなわち、保護部材１２０には、仕切枠１２２および連結枠１２３の各々の間に、通風口１２１がそれぞれ形成されている。
【００１１】
保護部材１２０は、仕切枠１２２および連結枠１２３が、断面円形状の金属線材によって形成されることで、図７に示すように、通風口１２１の内周縁が滑らかな円弧状をなしている。したがって、保護部材１２０によれば、換気を行った際、図７中の流線Ｆ６で示す空気の主の流れが、図７中の流線Ｆ７で示す通風口１２１の内周縁近傍を通過する空気の流れによって妨げられることなく、通風口１２１の内周縁近傍を通過する空気が、仕切枠１２２および連結枠１２３の外周面に沿って流れることで、空気の流動抵抗が比較的小さく抑えられている。
【００１２】
そして、従来の換気装置は、保護板の代わりに保護部材１２０を使用することで、空気の流動抵抗を最小限にすることが可能になる。しかしながら、保護部材１２０は、保護板１１４に比較して高価であるため、換気装置の製造コストが嵩んでしまう不都合があった。
【００１３】
そこで、本発明は、通風口の内周縁による流動抵抗を低減し、換気効率を向上し、換気時の騒音を低減することができる換気装置およびこの換気装置の製造方法を提供することを目的とする。また、本発明は、機器全体の小型化を図り、製造コストを低減することができる電子機器用筐体および電子機器を提供することを目的とする。
【００１４】
【課題を解決するための手段】
上述した目的を達成するため、本発明に係る換気装置は、ファンと、このファンが回転される換気穴を有するケースと、換気穴を覆って設けられた保護板とを備える。保護板は、通風するための複数の通風口と、各通風口を仕切る仕切枠とを有する。そして、保護板は、通風口の内周縁が断面円弧状に形成される。
【００１５】
以上のように構成した本発明に係る換気装置は、通風口の内周縁が断面円弧状に形成されたことで、ファンを回転させた換気時に、通風口の内周縁によって空気が巻き込まれることが解消されて、通風口による空気の流動抵抗が低減されるため、換気効率が向上される。
【００１６】
また、本発明に係る換気装置が備える保護板の仕切枠は、断面が楕円状に形成される。これによって、換気時の空気の流動抵抗が更に低減され、換気効率が更に向上される。
【００１７】
また、本発明に係る換気装置が備える保護板の仕切枠は、断面が円形状に形成される。これによって、仕切枠の断面が楕円状の構成に比較して、換気時の空気の流動抵抗がより一層低減され、換気効率がより一層向上される。
【００１８】
また、本発明に係る電子機器用筐体は、上述した本発明の換気装置が外周部に設けられ、内部に、電子機器の構成部材が収納される。
【００１９】
また、本発明に係る電子機器は、上述した本発明の換気装置が外周部に設けられた筐体を備える。
【００２０】
また、本発明に係る換気装置の製造方法は、ファンと、このファンが回転される換気穴を有するケースと、換気穴を覆って設けられた保護板とを備える換気装置の製造方法であって、保護板を打ち抜き加工することによって、通風するための複数の通風口と、各通風口を仕切る仕切枠とを形成する第１の工程と、保護板をプレス加工することによって、保護板の通風口の内周縁を断面円弧状に形成する第２の工程とを有する。
【００２１】
【発明の実施の形態】
以下、本発明の具体的な実施形態について、換気装置を備えるパーソナルコンピュータを、図面を参照して説明する。
【００２２】
図１に示すように、パーソナルコンピュータ１は、例えば図示しないＣＵＰ（Ｃｅｎｔｒａｌ  Ｐｒｏｃｅｓｓｉｎｇ  Ｕｎｉｔ）等の各種電子部品が配設された回路基板やハードディスクドライブ装置等が収納される筐体３と、この筐体３の内部を換気するための換気装置５とを備えている。
【００２３】
図１および図２に示すように、換気装置５は、筐体３の背面部に設けられており、ファン１１と、このファン１１が回転される換気穴１３を有するケース１２と、ファン１１を回転駆動する駆動モータ（不図示）と、換気穴１３を覆う保護板１４とを備えている。
【００２４】
ファン１１は、所定の個数の羽根を有しており、中心部が駆動モータの回転軸に支持されている。ケース１２は、略四角形をなす筒状に形成されており、換気穴が円形状に形成されている。ケース１２の換気穴１３内には、ファン１１が回転自在に設けられている。また、ケース１２の一端部には、図示しないが、駆動モータを制御する回路基板が固定されている。
【００２５】
保護板１４は、筐体３の背面部を構成する背面板と一体に設けられており、通風するための複数の通風口１６と、各通風口１６を仕切る仕切枠１７とを有している。
【００２６】
通風口１６は、図３に示すように、円形状の中央部１４ａを中心とした同心円状に設けられており、円弧をなすスリット状に形成されている。仕切枠１７は、中央部１４ａを中心とした同心円状に設けられるとともに、中央部１４ａから放射線状に設けられている。
【００２７】
そして、保護板１４は、図４に示すように、通風口１６の内面側および外面側の各内周縁が断面円弧状にそれぞれ形成されており、仕切枠１７の断面が楕円状に構成されている。保護板１４は、通風口１６の内周縁を円弧状に形成することで、仕切枠１７の断面が楕円状に構成されるように、仕切枠１７の主面に平行な方向の幅と保護板１４の厚みとが所定の比率に設定された細片状に形成されている。
【００２８】
保護板１４の製造方法について説明する。
【００２９】
まず、保護板１４は、金属板に、例えば、プレス金型を用いて打ち抜き加工を施したり、ＮＣＴ（数値制御によるタレットパンチプレス）加工を施したりすることで、所定のパターンで配置された複数の通風口がそれぞれ形成される。
【００３０】
次に、保護板１４は、例えば、プレス成形によって、各通風口１６の内面側および外面側の各内周縁が円弧状にそれぞれ形成され、各仕切枠１７の断面が楕円状に形成される。
【００３１】
なお、通風口１６の内周縁は、プレス成形に限定されることなく、例えば皿もみ加工や、研磨加工によって断面円弧状に形成されてもよいことは勿論である。
【００３２】
また、図示しないが、保護板は、プレス成形等によって、仕切枠１７の断面が円形状に形成されてもよく、上述した従来の保護部材の流動抵抗とほぼ同程度に空気の流動抵抗を低減することが可能になるため、換気効率を更に向上することもできる。
【００３３】
以上のように構成された換気装置５について、筐体３内を換気する際に保護板１４の通風口１６を介して流動する空気の流れを説明する。
【００３４】
まず、換気装置５は、駆動モータによってファン１１が回転駆動されることで、筐体３内の空気が筐体３外に向かって流動される。
【００３５】
そして、図４に示すように、換気装置５では、図４中の流線Ｆ１で示す空気の主の流れが、図４中の流線Ｆ２で示す通風口１６の内周縁近傍を通過する空気の流れによって妨げられることなく、通風口１６の内周縁近傍を通過する空気が、仕切枠１７の外周面に沿って円滑に流れる。このため、保護板１４は、通風口１６の内周縁による空気の巻き込みが解消され、通風口１６を介して筐体３外に排気される空気の流動抵抗が比較的小さく抑えられている。
【００３６】
したがって、パーソナルコンピュータ１は、換気装置５によって、ＣＰＵや電子部品等が発生した筐体３内の熱が筐体３外に効率的に逃がされて、筐体３内が良好に冷却される。
【００３７】
上述したように、換気装置５は、仕切枠１７の断面が円形状に形成された保護板１４を備えることによって、通風口１６の内周縁による空気の流動抵抗が、上述した従来の保護部材の流動抵抗とほぼ近似する程度に低減されるため、換気効率を向上することができる。また、換気装置５は、通風口１６の内周縁による空気の流動抵抗が低減されることで、内周縁による風切り音も小さくなるため、換気時の騒音を小さくすることができる。
【００３８】
また、パーソナルコンピュータ１によれば、換気装置５の換気効率が向上されることで、従来の換気装置と同程度の換気効率を確保する場合には、更に小型の換気装置でまかなうことが可能であるため、駆動時に発生する騒音を小さくするとともに、製造コストの低減およびパーソナルコンピュータの小型化を図ることができる。
【００３９】
なお、本発明に係る換気装置は、パーソナルコンピュータに適用されたが、例えば、ＣＰＵを冷却するためのＣＰＵ専用の換気装置としてや、ハードディスクドライブ等を備える電子機器等に用いられて好適である。
【００４０】
【発明の効果】
上述したように本発明に係る換気装置によれば、通風口の内周縁が断面円弧状に形成された保護板を備えることによって、通風口の内周縁による流動抵抗を低減し、換気効率を向上し、換気時の騒音を低減することができる。
【００４１】
また、本発明に係る換気装置によれば、換気効率が向上されたことで、換気装置が採用される電子機器全体の小型化を図るとともに製造コストを低減することができる。
【図面の簡単な説明】
【図１】本発明に係る実施形態のパーソナルコンピュータを示す斜視図である。
【図２】実施形態の換気装置を示す分解斜視図である。
【図３】前記換気装置が備える保護板を示す平面図である。
【図４】前記保護板の仕切枠の内周縁を説明するために示すＡ−Ａ断面図である。
【図５】従来の換気装置が備える保護板を説明するために示す断面図である。
【図６】従来の保護部材を示す斜視図である。
【図７】従来の保護部材を示すＢ−Ｂ断面図である。
【符号の説明】
１  パーソナルコンピュータ
３  筐体
５  換気装置
１１  ファン
１２  ケース
１３  換気穴
１４  保護板
１４ａ  中央部
１６  通風口
１７  仕切枠
１１４  保護板
１１６  通風口
１１７  仕切壁
１２０  保護部材
１２１  通風口
１２２  仕切枠
１２３  連結枠
【図１】
2004266032.tif 000003
【図２】
2004266032.tif 000004
【図３】
2004266032.tif 000005
【図４】
2004266032.tif 000006
【図５】
2004266032.tif 000007
【図６】
2004266032.tif 000008
【図７】
2004266032.tif 000009